(57)【要約】【課題】球噛みの発生を抑制すること。【解決手段】遊技機１０は、遊技球が１個ずつ流下可能な落下部３４と、第１対向壁３４１に形成された第１開口部３４１Ａに連通して、落下部３４から分岐する分岐流路４１と、遊技球を分岐流路４１に流下させる第１振分状態と該遊技球をそのまま落下させる第２振分状態とに変化する振分部材６０と、を有する。振分部材６０は、第１開口部３４１Ａと対向する第２開口部３４２Ａの奥側に引っ込む退避位置と、第２開口部３４２Ａから飛び出す突出位置と、の間を移動可能であって、突出位置に配置されたときに第１振分状態となり、退避位置に配置されたときに第２振分状態となる。【選択図】図７
2020000491.tif 000002
【特許請求の範囲】
【請求項１】
遊技球が１個ずつ流下可能なメイン流路と、
前記メイン流路を挟んで対向する１対の対向壁と、
前記１対の対向壁のうち一方の対向壁に形成された第１開口部と、
前記第１開口部に連通して、前記メイン流路から分岐する分岐流路と、
前記メイン流路を流下してきた遊技球を前記分岐流路に流下させる第１振分状態と該遊技球をそのままメイン流路に流下させる第２振分状態とに変化する振分部材と、
前記振分部材が前記第２振分状態であるとき前記メイン流路を流下してきた遊技球が入球可能な入球領域と、を有する遊技機において、
前記１対の対向壁のうち他方の対向壁には、前記第１開口部と対向する第２開口部が設けられ、
前記振分部材は、前記第２開口部の奥側に引っ込む退避位置と前記第２開口部から飛び出す突出位置との間を移動可能であって、前記突出位置に配置されたときに前記第１振分状態となり、前記退避位置に配置されたときに前記第２振分状態となる、遊技機。
【請求項２】
前記振分部材は、前記突出位置に配置されたときに前記メイン流路を流下してきた遊技球を受け止め可能な球受止面を有し、
前記球受止面には、前記振分部材が前記突出位置に配置されたときに前記第１開口部へ近づくにつれて前記メイン流路の下流側を向くように配置される複数段階の傾斜が設けられている、請求項１に記載の遊技機。
【請求項３】
前記振分部材は、
前記メイン流路の延在方向と前記一対の対向壁の対向方向とに直交する方向に沿った回動軸を有する回動軸部と、
前記回動軸部から回動半径方向に張り出した張出部と、
前記張出部から前記回動軸部の回動方向に突出する受止突部と、を備え、
前記張出部は、前記振分部材が前記突出位置に配置されたときに、前記メイン流路に沿って配置される一方、前記振分部材が前記退避位置に配置されたときに、前記回動軸部から離れるにつれて前記メイン流路から遠ざかるように傾斜し、
前記受止突部は、前記振分部材が前記突出位置に配置されたときに前記第２開口部を通って前記メイン流路に突入し、前記振分部材が前記退避位置に配置されたときに、前記第２開口部の奥側に配置される、請求項１又は２に記載の遊技機。
【請求項４】
前記第２開口部の開口縁のうち前記メイン流路の上流側に配置された部分は、前記メイン流路の延在方向に対して斜めに傾斜している、請求項１乃至３のうち何れか１項に記載の遊技機。
【請求項５】
前記メイン流路には、第１水平方向の一方側へ下るように遊技球を転動させる転動部と、前記転動部の下端部に連絡して遊技球を落下させる落下部と、が備えられ、
前記１対の対向壁は、前記第１水平方向で対向し、
前記第１開口部は、前記１対の対向壁のうち前記第１水平方向の一方側に配置される第１対向壁に形成されると共に、前記第２開口部は、前記１対の対向壁のうち前記第１水平方向の他方側に配置される第２対向壁に形成され、
前記落下部を落下する遊技球を前記第２開口部から遠ざける隔離手段を有している、請求項１乃至４のうち何れか１項に記載の遊技機。
【請求項６】
前記隔離手段は、前記第２対向壁のうち前記第２開口部より上側に配置される部分から突出するか又は当該部分に前記メイン流路の内側から重ねられて、前記落下部を落下する遊技球と当接可能な球当接部により構成されている、請求項５に記載の遊技機。
【請求項７】
前記隔離手段は、前記第２開口部に前記メイン流路の内側から重ねられて、前記落下部を落下する遊技球と当接可能な球当接部により構成されている、請求項５に記載の遊技機。
【請求項８】
前記球当接部は、上下方向に延在するレールを少なくとも１つ有する、請求項６又は７に記載の遊技機。
【発明の詳細な説明】
【技術分野】
【０００１】
本開示は、遊技機に関する。
【背景技術】
【０００２】
特許文献１の遊技機では、Ｖ入賞口へと続く流路を前後にスライドして開閉するシャッターによって、遊技球がＶ入賞口に入賞するか否かが振り分けられる。
【先行技術文献】
【特許文献】
【０００３】
【特許文献１】特開２０１６−１６３６１４号（段落［０２３１］、図１１，１３）
【発明の概要】
【発明が解決しようとする課題】
【０００４】
特許文献１の遊技機では、シャッターが閉まるときに、シャッターと該シャッターの先方に配置された壁との間に遊技球が挟まれることがあり、球噛みの発生を抑制することが求められている。
【課題を解決するための手段】
【０００５】
上記課題を解決するためになされた請求項１の発明は、遊技球が１個ずつ流下可能なメイン流路と、前記メイン流路を挟んで対向する１対の対向壁と、前記１対の対向壁のうち一方の対向壁に形成された第１開口部と、前記第１開口部に連通して、前記メイン流路から分岐する分岐流路と、前記メイン流路を流下してきた遊技球を前記分岐流路に流下させる第１振分状態と該遊技球をそのままメイン流路に流下させる第２振分状態とに変化する振分部材と、前記振分部材が前記第２振分状態であるときに前記メイン流路を流下してきた遊技球が入球可能な入球領域と、を有する遊技機において、前記１対の対向壁のうち他方の対向壁には、前記第１開口部と対向する第２開口部が設けられ、前記振分部材は、前記第２開口部の奥側に引っ込む退避位置と前記第２開口部から飛び出す突出位置との間を移動可能であって、前記突出位置に配置されたときに前記第１振分状態となり、前記退避位置に配置されたときに前記第２振分状態となる、遊技機である。
【発明の効果】
【０００６】
上記発明によれば、球噛みの発生が抑制される。
【図面の簡単な説明】
【０００７】
【図１】本開示の一実施形態に係る遊技機の正面図
【図２】遊技盤の正面図
【図３】図２における大入賞口周辺の拡大図
【図４】誘導路の正断面図
【図５】誘導路の一部破断斜視図
【図６】メイン流路の転動部の一部破断斜視図
【図７】第１振分状態の振分部材と誘導路の正断面図
【図８】第２振分状態の振分部材と誘導路の正断面図
【図９】（Ａ）第１振分状態の振分部材と振分駆動機構の正面図、（Ｂ）第２振分状態の振分部材と振分駆動機構の正面図
【図１０】（Ａ）第１振分状態の振分部材と振分駆動機構の前方斜視図、（Ｂ）第２振分状態の振分部材と振分駆動機構の前方斜視図
【図１１】（Ａ）第１振分状態の振分部材と振分駆動機構の後方斜視図、（Ｂ）第２振分状態の振分部材と振分駆動機構の後方斜視図
【図１２】落下部の一部破断斜視図
【図１３】落下部の側断面図
【図１４】（Ａ）振分部材が第２振分状態のときの落下部の平断面図、（Ｂ）振分部材が第１振分状態のときの落下部の平断面図
【図１５】他の実施形態に係る振分部材の側断面図
【図１６】他の実施形態に係る誘導路の正断面図
【図１７】他の実施形態に係る落下部の側断面図
【図１８】他の実施形態に係る誘導路の正断面図
【図１９】他の実施形態に係る落下部の平断面図
【発明を実施するための形態】
【０００８】
図１に示されるように、本実施形態に係る遊技機１０は、図２に示される遊技盤１１を前面枠１０Ｚで覆ってなり、その前面枠１０Ｚに形成されたガラス窓１０Ｗを通して、遊技盤１１の前面側に形成された遊技領域Ｒ１の全体が視認可能となっている。遊技領域Ｒ１は、遊技盤１１の前面から突出した略円形のガイドレール１２に囲まれている（図２参照）。なお、以下の説明において、特記しない限り「右」及び「左」とは、遊技機１０を前方から見た場合の「右」及び「左」を指すものとする。
【０００９】
前面枠１０Ｚのうちガラス窓１０Ｗより下方には、上皿２６と下皿２７が上下２段にして設けられ、下皿２７の右側には、発射用ハンドル２８が備えられている。そして、発射用ハンドル２８が回動操作されると、上皿２６に収容された遊技球が発射装置（図示せず）によって１球ずつ遊技領域Ｒ１に向けて弾き出される。
【００１０】
図２に示されるように、遊技盤１１のうち遊技領域Ｒ１の中央には、表示開口１１Ｈが貫通形成されていて、その表示開口１１Ｈに遊技盤１１の裏面側から表示装置１３が対向している。表示装置１３は、例えば、液晶モジュールで構成され、遊技に関する演出を行う表示画面１３Ｇを前面に有する。
【００１１】
遊技盤１１の前面中央には、表示画面１３Ｇを囲むように表示装飾枠２３が取り付けられている。表示装飾枠２３は、遊技盤１１の前面側から表示開口１１Ｈに嵌め込まれると共に、遊技盤１１の前面より前側に突出している。これにより、遊技領域Ｒ１を流下する遊技球が、表示装飾枠２３を乗り越えて表示装飾枠２３の内側に進入することが規制されている。
【００１２】
遊技領域Ｒ１のうち表示装飾枠２３の右側部分には、始動ゲート１８が設けられている。始動ゲート１８は、遊技領域Ｒ１を流下する遊技球が潜って通過可能な門形状に形成されている。始動ゲート１８を遊技球が通過すると、普通図柄当否判定が行われる。
【００１３】
遊技領域Ｒ１のうち表示装飾枠２３の下側部分における横方向の中央部には、第１始動入賞口１４Ａが設けられている。第１始動入賞口１４Ａは、遊技球が１つずつ入球可能な大きさの開口を上部に有するポケット構造をなして、常時開放している。
【００１４】
第１始動入賞口１４Ａの下方には、第２始動入賞口１４Ｂが設けられている。第２始動入賞口１４Ｂは、前側に開放し、回動扉１４Ｔによって開閉される。具体的には、回動扉１４Ｔは、通常は、鉛直に起立した閉位置に配置され、上述の普通図柄当否判定で当りになると、下端部を中心に回動し、前倒しとなった開位置に配置される。開位置に配置された回動扉１４Ｔは、上方から流下する遊技球を受け止めて第２の始動入賞口１４Ｂへと案内する。
【００１５】
各始動入賞口１４Ａ，１４Ｂに遊技球が入球すると、所定数の遊技球が賞球として上皿２６（図１参照）に払い出されると共に、特別図柄当否判定が行われる。特別図柄当否判定の結果は、表示画面１３Ｇに表示される。特別図柄当否判定で当りになると、遊技状態が大当り遊技状態になって、大当り遊技が実行される。
【００１６】
遊技領域Ｒ１のうち表示装飾枠２３の右下部分には、大入賞口１５が設けられている。大入賞口１５は、横長矩形に形成されて、通常の遊技状態では、可動扉１５Ｔにて閉塞されている。遊技状態が大当り遊技状態になって大当り遊技が実行されると、可動扉１５Ｔが所定期間に亘って前側に倒されて大入賞口１５が開放し、可動扉１５Ｔを案内にして、大入賞口１５に多くの遊技球が入球可能となる。大入賞口１５に遊技球が入球すると、所定数の遊技球が賞球として上皿２６（図１参照）に払い出される。大当り遊技では、予め設定された回数だけ大入賞口１５が開放されるラウンド遊技が、大当り遊技の種類に応じた回数だけ実行される。１回のラウンド遊技は、予め定められた上限数の遊技球が大入賞口１５に入球するか又は予め設定されたラウンド遊技時間が経過すると、終了する。
【００１７】
遊技領域Ｒ１には、第１始動入賞口１４Ａ、第２始動入賞口１４Ｂ及び大入賞口１５のほか複数の一般入賞口２０が設けられている。一般入賞口２０は、第１始動入賞口１４Ａと同様のポケット構造をなして、常時開放している。一般入賞口２０に遊技球が入球すると、所定数の遊技球が賞球として上皿２６（図１参照）に払い出される。また、遊技領域Ｒ１には、何れの入賞口１４Ａ，１４Ｂ，１５，２０にも入球しなかった遊技球を外部に排出するためのアウト口１６が備えられている。
【００１８】
図３に示されるように、本実施形態の遊技機１０では、大当り遊技中に大入賞口１５に入球した遊技球は、誘導路３０を流下し、第１入球領域５１と第２入球領域５２の何れかの入球領域を流下して、遊技盤１１の後側に排出される。遊技球の入球領域への振り分けは、振分部材６０によって行われる。遊技盤１１の後側に排出された遊技球は、球排出ダクト（図示せず）を通って球回収装置（図示せず）に回収される。
【００１９】
第２入球領域５２は、所謂、Ｖ入賞領域であって、大当り遊技中に遊技球が第２入球領域５２を流下する（第２入賞領域５２に入球する）と、大当り遊技終了後の遊技状態は、通常の遊技状態よりも遊技者に有利な有利状態となる。一方、大当り遊技中に遊技球が第２入球領域５２を流下しない（即ち、大当り遊技中に遊技球が第１入球領域５１のみを流下する（第１入賞領域５１のみに入球する））場合、大当り遊技終了後の遊技状態が通常の遊技状態となる。有利状態の例としては、時短状態、確変状態等が挙げられる。
【００２０】
なお、大当り遊技中に遊技球が第２入球領域５２を流下しないとき（即ち、遊技球が第１入球領域５１のみを流下するとき）、大当り遊技終了後の遊技状態が、通常の遊技状態よりも遊技者に有利な第１有利状態となり、大当り遊技中に遊技球が第２入球領域５２を流下したとき、大当り遊技終了後の遊技状態が第１有利状態よりも遊技者に有利な第２有利状態となってもよい。
【００２１】
［１］誘導路３０
図３及び図４に示されるように、誘導路３０は、メイン流路３１と、メイン流路３１から分岐した分岐流路４１と、からなる。メイン流路３１をそのまま流下する遊技球は、第２入球領域５２を流下し、分岐流路４１を流下する遊技球は、第１入球領域５１を流下する。
【００２２】
メイン流路３１は、導入部３２と転動路３３と落下部３４とを、メイン流路３１の上流側からこの順番に備えてなる。
【００２３】
図４に示されるように、導入部３２は、大入賞口１５の奥側（後側）に配設された入賞部屋１５Ｒから下方に延びている。具体的には、導入部３２は、入賞部屋１５Ｒの床壁に形成された排出口に連通し、入賞部屋１５Ｒに受容された遊技球を下方へと誘導する。なお、導入部３１の一部は、球検出スイッチ３２１の検出孔３２１Ａによって構成されている。
【００２４】
図４及び図５に示されるように、転動部３３は、導入部３２の下端部から左右方向の一方側（本実施形態では、左側）へ延びている。具体的には、図５に示されるように、転動部３３の床壁３３１は、下方へ向かうにつれて左側へ向かうように湾曲した湾曲部３３１Ａと、後下がりに傾斜した末端傾斜部３３１Ｃと、が段差部３３１Ｂを介して連絡された構造になっている。そして、転動部３３を流下する遊技球は、床壁３３１の上を転動して左側に誘導される。
【００２５】
図４に示されるように、転動部３３を前後に挟む壁部のうち後側に配置された後壁３３３には、末端傾斜部３３１Ｃを転動してきた遊技球を転動部３３から排出するための末端開口３３３Ｋが形成されている。なお、末端開口３３３Ｋは、遊技球が１つだけ通過可能な大きさに形成されている。
【００２６】
また、図６に示されるように、転動部３３を前後に挟む壁部のうち前側に配置された前壁３３２の左端部は、左側へ向かうにつれて後側へ向かうように湾曲した後方誘導部３３２Ａとなっている。
【００２７】
図１２に示されるように、落下部３４は、略鉛直な直線状に形成され、その上端部が転動部３３の末端部（左側の端部）に連絡している。具体的には、落下部３４は、転動部３３より後側に配置され、末端開口３３３Ｋ（図４参照）に連通している。そして、落下部３４は、転動部３３の末端開口３３３Ｋから排出された遊技球を下方に落下させる。
【００２８】
図１４（Ａ）に示されるように、落下部３４の流路断面は、遊技球が１つだけ通過可能な大きさに形成されている。具体的には、落下部３４の流路断面形状は、略正方形状に形成されていて、その正方形の一辺の長さが、遊技球の直径より若干大きくなっている。
【００２９】
図７に示されるように、落下部３４を左右に挟んで対向する１対の対向壁３４０，３４０のうち左側に配置される第１対向壁３４１には、第１開口部３４１Ａが形成されている。第１開口部３４１Ａの高さは、遊技球１．５個分より大きく、２個分未満となっている。なお、第１開口部３４１の前後方向の長さは、遊技球１個分より若干大きくなっている。
【００３０】
１対の対向壁３４０，３４０のうち右側に配置される第２対向壁３４２には、第２開口部３４２Ａが形成されている。第２開口部３４２Ａは、第１開口部３４１Ａに対向配置されている。具体的には、第２開口部３４２Ａの下端は、第１開口部３４１Ａの下端と略同じ高さに配置され、第２開口部３４２Ａの高さは、遊技球１個分程度になっている。なお、第２開口部３４２Ａの前後方向の長さは、第１開口部３４１Ａの前後方向の長さと略同じになっている。
【００３１】
落下部３４の下方には、第２球検出センサ５４が配置されていて、落下部３４を落下してきた遊技球は、第２球検出センサ５４の第２検出孔５４Ａを通過する。この第２検出孔５４Ａは、上述した第２入球領域５２を構成する。
【００３２】
図７に示されるように、分岐流路４１は、左下がりに傾斜し、その右端部が第１開口部３４１Ａに連通している。
【００３３】
分岐流路４１の床壁４１１は、第１開口部３４１Ａの開口下縁部から左下がりに傾斜している。床壁４１１の左端部には、排出口４１１Ａが形成されている。排出口４１１Ａの下方には、第１球検出センサ５３が配置されていて、排出口４１１Ａから排出された遊技球は、第１球検出センサ５３の第１検出孔５３Ａを通過する。この第１検出孔５３Ａは、上述した第１入球領域５１を構成する。
【００３４】
分岐流路４１の天井壁４１２は、第１開口部３４１Ａの開口上縁部から左下方へ延びている。詳細には、天井壁４１２は、上流側湾曲部４１２Ａと、中間傾斜部４１２Ｂと、下流側湾曲部４１２Ｃと、を分岐流路４１の上流側から、この順番に備えてなる。上流側湾曲部４１２Ａと下流側湾曲部４１２Ｃは、左側へ向かうにつれて下方へ向かうように湾曲し、中間傾斜部４１２Ｂは、左下がりに傾斜している。なお、中間傾斜部４１２Ｂの傾斜は、床壁４１１の傾斜よりも大きくなっていて、分岐流路４１の下流端における高さ（上下方向の長さ）は、分岐流路４１の上流端における高さ（即ち、第１開口部３４１Ａの上下方向の長さ）よりも低くなっている。
【００３５】
［２］振分部材６０の構成
図４に示されるように、誘導路３０を流下する遊技球は、振分部材６０によって第１入球領域５１と第２入球領域５２の何れかに振り分けられる。振分部材６０は、図９（Ａ）に示される振分駆動機構７０により駆動されて、遊技球を第１入球領域５１に振り分ける第１振分状態（図７参照）と、遊技球を第２入球領域５２に振り分ける第２振分状態（図８参照）と、に変化する。
【００３６】
図９（Ａ）、図１０（Ａ）及び図１１（Ａ）に示されるように、振分部材６０は、盤状に形成された回動軸部６１と、回動軸部６１からその径方向の一方側に張り出したアーム部６２と、アーム部６２の先端部から回動軸部６１の周方向（回動軸部６１を中心とする円の周方向）一方側に突出する受止突部６３と、を有している。
【００３７】
回動軸部６１には、中心孔６１Ａが形成されている。中心孔６１Ａには、図７及び図８に示される支軸部３４３が挿通されている。支軸部３４３は、第２対向壁３４２のうち第２開口部３４２より上側に配置された部分に一体形成されて、前後方向に延びている。そして、回動軸部６１は、支軸部３４３を中心にして、回動可能となっている。
【００３８】
図１０（Ａ）及び図１０（Ｂ）に示されるように、アーム部６２は、略直方体状に形成され、回動軸部６１より前側に迫り出している。図７及び図１４（Ｂ）に示されるように、アーム部６２は、第２対向壁３４２より右側に配置されると共に、メイン流路３１の落下部３４を前後方向に挟む１対の前後対向壁３４５，３４５のうち後側に配置される前後対向壁３４５の前側と後側とに跨って配置される。なお、アーム部６２の前側を向く面には、回動軸部６１から遠い側を段付き状に前側に迫り出させる段差部６２Ｄが形成されている。
【００３９】
図９（Ａ）及び図９（Ｂ）に示されるように、受止突部６３は、アーム部６２の先端部（回動軸部６１から遠い側の端部）から正面視時計方向に突出している。また、図１４（Ｂ）に示されるように、受止突部６３は、アーム部６２の前端寄り部分から突出し、後側の前後対向壁３４５より前側に配置される。
【００４０】
図９（Ａ）及び図１０（Ａ）に示されるように、受止突部６３のうち回動軸部６１に臨む面は、球受止面６４となっている。球受止面６４には、アーム部６２から離れるにつれて回動軸部６１から離れるように、複数段階の傾斜が設けられている。具体的には、球受止面６４は、受止突部６３の先端部に形成された先端傾斜部６４Ａと、先端傾斜部６４Ａに連続した基端傾斜部６４Ｂと、が備えられている。先端傾斜部６４Ａと基端傾斜部６４Ｂは共に、アーム部６２から離れるに従って回動軸部６１から離れるように傾斜し、基端傾斜部６４Ｂの傾斜角が先端傾斜部６４Ａの傾斜角より大きくなっている。
【００４１】
図１０（Ａ）に示されるように、振分駆動機構７０は、ソレノイド７１と、可動鉄芯７２と、動力伝達部材７３と、を含んでなる。ソレノイド７１は、プル型になっていて、ソレノイド７１が通電される（ＯＮにされる）と、図１０（Ａ）から図１０（Ｂ）への変化に示されるように、可動鉄芯７２がソレノイド７１に吸引される。
【００４２】
可動鉄芯７２の一端部には、フランジ７２Ｆが形成され、このフランジ７２Ｆとソレノイド７１の間には、コイルバネ７４が介装されている。そして、可動鉄芯７２は、コイルバネ７４によって、フランジ７２Ｆがソレノイド７１から遠ざかる方向に付勢されている。動力伝達部材７３は、可動鉄芯７２のフランジ７２Ｆに取り付けられ、可動鉄芯７２と一体になって移動する。
【００４３】
図１１（Ａ）に示されるように、動力伝達部材７３には、係合孔７３Ａが設けられている。この係合孔７３Ａには、振分部材６０の回動軸部６１に設けられた係合ピン６０Ｐが挿通されている。そして、ソレノイド７１が通電されて動力伝達部材７３が移動すると、その動力が回動軸部６１に伝達され、図１１（Ａ）から図１１（Ｂ）への変化に示されるように、振分部材６０が回動軸部６１の中心孔６１Ａを中心にして回動する。
【００４４】
ソレノイド７１が非通電状態のとき、振分部材６０は、図７、図９（Ａ）、図１０（Ａ）及び図１１（Ａ）に示される突出位置に配置される。振分部材６０が突出位置に配置された状態では、アーム部６２は、回動軸部６１から下方に垂下すると共に落下部３４に沿って配置され、受止突部６３は、第２開口部３４２Ａを通って落下部３４に突入する（図７及び図９（Ａ）参照）。
【００４５】
ソレノイド７１が通電状態になると、可動鉄芯７２が駆動され、振分部材６０は、図８、図９（Ｂ）、図１０（Ｂ）及び図１１（Ｂ）に示される退避位置に配置される。振分部材６０が退避位置に配置された状態では、アーム部６２は、回動軸部６１から右下方に向かって延び、落下部３４の下流側へ向かうにつれて落下部３４から離れるように落下部３４に対して傾斜する。受止突部６３は、第２開口部３４２Ａの奥側に退避して落下部３４２から外れる（図８及び図９（Ｂ）参照）。
【００４６】
図７に示されるように、振分部材６０が突出位置に配置された状態で、受止突部６３は落下部３４を遮ると共に、第１開口部３４１Ａに突き合わされる。この状態で、落下部３４を落下する遊技球は、受止突部６３（詳細には、球受止面６４（図９（Ａ）参照））に受け止められて、第１開口部３４１Ａへと誘導される。第１開口部３４１Ａへ誘導された遊技球は、分岐流路４１を通って、第１入球領域５１を流下する。即ち、振分部材６０は、突出位置に配置されたときに、落下部３４を落下する遊技球を第１入球領域５１へと振り分ける第１振分状態となる。
【００４７】
図８に示されるように、振分部材６０が退避位置に配置された状態では、受止突部６３が落下部３４の外側（本実施形態では、右側）に外れる。この状態で、落下部３４を落下する遊技球は、受止突部６３に受け止められることなく、そのまま落下部３４を落下し、第２入球領域５２を流下する。即ち、振分部材６０は、突出位置に配置されたときに、落下部３４を落下する遊技球を第２入球領域５２へと振り分ける第２振分状態となる。
【００４８】
本実施形態では、振分部材６０の受止突部６３が、落下部３４の延在方向と交差する左右方向に移動し、第１対向壁３４１に対して接近、離間する。このため、振分部材６０が突出位置へ移動するときに、振分部材６０と第１対向壁３４１との間に遊技球が挟まって球噛みが発生するという事態が考えられる。しかしながら、本実施形態の遊技機１０では、突出位置に配置された振分部材６０の受止突部６３は、第１開口部３４１Ａに突き合わされるので、第１対向壁３４１との間に遊技球を挟むことが抑制され、球噛みの発生が抑制される。
【００４９】
なお、詳細には、振分部材６０が突出位置に配置されたときの受止突部６３の先端部と第１開口部３４１Ａの開口上縁部との間隔は、遊技球１個分より大きく、１．５個分以下となっている。これにより、受止突部６３に受け止められた遊技球を分岐流路４１へとスムーズに進入させることが可能となっている。また、分岐流路４１の天井壁４１２の上流側湾曲部４１２Ａにおける湾曲部分は、遊技球との干渉を避ける逃がし部として作用する。
【００５０】
また、振分部材６０が突出位置に配置されたときの受止突部６３の先端部と第１開口部３４１Ａの開口下縁部との間隔は、遊技球０．５個分未満となっている。これにより、受止突部６３と床壁４１１との間に遊技球が進入することが抑制され、受止突部６３と床壁４１１との間の球噛みの発生が抑えられている。
【００５１】
［３］隔離手段８０の構成
本実施形態の遊技機１０では、メイン流路３１の落下部３４を挟む１対の対向壁３４０，３４０のうち一方の対向壁３４０である第１対向壁３４１には、分岐流路４１に連通する第１開口部３４１Ａが形成され、他方の対向壁３４０である第２対向壁３４２には、振分部材６０の受止突部６３の出入口となる第２開口部３４２Ａが形成されている。このような遊技機１０の構成では、振分部材６０が第２振分状態となって、落下部３４を落下する遊技球を、分岐流路４１に案内することなく、そのまま落下させるときに、該遊技球が第２開口部３４２Ａに進入したり、第２開口部３４２Ａの開口下縁部に跳ね返されて分岐流路４１に進入したりして、第２入球領域５２に入球しない入球エラーが発生し得る。特に、本実施形態では、メイン流路３１において落下部３４に遊技球を誘導する転動部３３が遊技球を左側に転動させ、第２開口部３４２Ａを有する第２対向壁３４２は、落下部３４に対して右側に配置されているので、転動部３３を転動してきた遊技球が第１対向壁３４１と衝突することによって、その遊技球が第２開口部３４２Ａに近づき易くなっている。そこで、遊技機１０には、入球エラーの抑制を図るべく、落下部３４を落下する遊技球を第２開口部３４２Ａから遠ざけるための隔離手段８０が備えられている。
【００５２】
図１４（Ａ）及び図１４（Ｂ）に示されるように、隔離手段８０は、落下部３４を落下する遊技球（図１４（Ａ）及び図１４（Ｂ）には、二点鎖線で示されている。）に対して第２対向壁３４２側（即ち、右側）に配置される。隔離手段８０は、落下部３４を落下する遊技球に第２対向壁３４２側から当接することで、該遊技球を第２開口部３４２Ａから遠ざける。
【００５３】
図１２及び図１３に示されるように、隔離手段８０は、上下方向に延在する隔離レール８１によって構成されている。隔離レール８１の上端は、転動部３３より下方に配置され、隔離レール８１の下端は、第２開口部３４２Ａの開口下縁と略同じ高さに配置されている。詳細には、隔離レール８１の上端は、転動部３３の床壁３３１における末端傾斜部３３１Ｃの上面を後側に延長した延長面（図１３には二点鎖線で示されている。）より下方に配置されている。なお、隔離レール８１の上端部は、第１対向壁３４１に向かって下るように傾斜したテーパ状に形成されている。
【００５４】
図１４（Ａ）に示されるように、隔離レール８１は、落下部３４を前後に挟む前後対向壁３４５，３４５のうち前側に配置される前後対向壁３４５の後面に突設された突条によって構成されている。そして、第２対向壁３４２の前端部に落下部３４の内側から重ねられる。ここで、隔離レール８１は、第２対向壁３４２との間に間隔をあけずに配置されてもよいし、間隔をあけて配置されてもよい。なお、隔離レール８１は、上方から見て第２球検出センサ５４の第２検出孔５４Ａの外縁部に重なる。
【００５５】
ところで、隔離レール８１は、前側の前後対向壁３４５に形成されることにより、落下部３４の内部において前端寄り部分に配置される。その結果、落下部３４を落下する遊技球は、落下部３４の後寄り部分を通り易くなる。このため、本実施形態では、図１４（Ｂ）に示されるように、振分部材６０の受止突部６３が、落下部３４の後側に寄せて配置されることで、遊技球の受け止めの安定化が図られている。
【００５６】
このように、本実施形態の遊技機１０では、隔離レール８１が落下部３４を落下してきた遊技球に第２対向壁３４２側から当接可能となっているので、遊技球が第２開口部３４２Ａに進入することが抑制され、第２入球領域５２に入球させるための遊技球が第２入球領域５２に入球しない入球エラーが発生することを抑制可能となる。しかも、隔離レール８１は、落下部３４に沿って延在するので、遊技球を第２対向壁３４２から遠ざけた状態のまま落下させることが可能となる。
【００５７】
また、本実施形態では、隔離レール８１は、第２開口部３４２Ａに落下部３４の内側から重ねられているので、遊技球が第２開口部３４２Ａの横を落下するときに、第２開口部３４２へ近づくことが抑制される。
【００５８】
なお、本実施形態では、隔離レール８１は、第２対向壁３４２のうち第２開口部３４２Ａよりも上側に配置された部分に落下部３４の内側から重ねられているので、第２開口部３４２Ａより上側において第２対向壁３４２から遠ざけることができる。従って、仮に、隔離レール８１が第２開口部３４２Ａに重ねられない構成であっても、遊技球が第２開口部３４２Ａの横を落下するときに、その遊技球が第２開口部３４２Ａに進入することが抑制される。
【００５９】
［上記実施形態から抽出される技術的な特徴群について］
以下、上述した実施形態から抽出される特徴について、必要に応じて効果等を示しつつ説明する。なお、以下では、理解の容易のため、上記実施形態において対応する構成を括弧書き等で適宜示すが、この括弧書き等で示した具体的構成に限定されるものではない。
【００６０】
＜特徴Ａ群＞
以下の特徴Ａ群は、遊技機に関し、「特許文献Ａ（特開２０１６−１６３６１４号（段落［０２３１］、図１１，１３））の遊技機では、Ｖ入賞口へと続く流路を前後にスライドして開閉するシャッターによって、遊技球がＶ入賞口に入賞するか否かが振り分けられる。」という背景技術について、「特許文献Ａの遊技機では、シャッターが閉まるときに、シャッターと該シャッターの先方に配置された壁部との間に遊技球が挟まれることがあり、球噛みの発生を抑制することが求められている。」という課題をもってなされたものである。
【００６１】
［特徴Ａ１］
遊技球が１個ずつ流下可能なメイン流路（メイン流路３１）と、
前記メイン流路を挟んで対向する１対の対向壁（対向壁３４０）と、
前記１対の対向壁のうち一方の対向壁（第１対向壁３４１）に形成された第１開口部（第１開口部３４１Ａ）と、
前記第１開口部に連通して、前記メイン流路から分岐する分岐流路（分岐流路４１）と、
前記メイン流路を流下してきた遊技球を前記分岐流路に流下させる第１振分状態と該遊技球をそのままメイン流路に流下させる第２振分状態とに変化する振分部材（振分部材６０）と、
前記振分部材が前記第２振分状態であるときに前記メイン流路を流下してきた遊技球が入球可能な入球領域（第２流下領域５２）と、を有する遊技機（遊技機１０）において、
前記１対の対向壁のうち他方の対向壁（第２対向壁３４２）には、前記第１開口部と対向する第２開口部（第２対向壁３４２Ａ）が設けられ、
前記振分部材は、前記第２開口部の奥側に引っ込む退避位置と前記第２開口部から飛び出す突出位置との間を移動可能であって、前記突出位置に配置されたときに前記第１振分状態となり、前記退避位置に配置されたときに前記第２振分状態となる、遊技機。
【００６２】
本特徴に示す構成では、振分部材は、第１開口部と対向する第２開口部の奥側に引っ込んだり飛び出したりする。本構成によれば、振分部材が第１振分状態となって第２開口部から飛び出しても、その振分部材の先方には、第１開口部が待ち受けることになるので、振分部材による球噛みが抑制される。
【００６３】
［特徴Ａ２］
前記振分部材は、前記突出位置に配置されたときに前記メイン流路を流下してきた遊技球を受け止め可能な球受止面（球受止面６４）を有し、
前記球受止面には、前記振分部材が前記突出位置に配置されたときに前記第１開口部へ近づくにつれて前記メイン流路の下流側を向くように配置される複数段階の傾斜（先端傾斜部６４Ａと基端傾斜部６４Ｂ）が設けられている、特徴Ａ１に記載の遊技機。
【００６４】
本特徴に示す構成では、突出位置に配置された振分部材が、メイン流路を流下してきた遊技球を受け止めて分岐流路へ流下させ易くなる。なお、本特徴の具体的な構成としては、第１開口部へ近づくにつれてメイン流路の下流側へ向かうように傾斜した傾斜部を複数備えて、それら複数の傾斜部を振分部材の突出方向に並べ、第１開口部に近い側（即ち、突出先端側）の傾斜部の傾斜角を第１開口部から遠い側（即ち、突出先端から遠い側）の傾斜部の傾斜角より小さくする構成が挙げられる。
【００６５】
［特徴Ａ３］
前記振分部材は、
前記メイン流路の延在方向と前記一対の対向壁の対向方向とに直交する方向に沿って延在する回動軸部（回動軸部６１）と、
前記回動軸部から回動半径方向に張り出した張出部（アーム部６２）と、
前記張出部から前記回動軸部の回動方向に突出する受止突部（受止突部６３）と、を備え、
前記張出部は、前記振分部材が前記突出位置に配置されたときに、前記メイン流路に沿って配置される一方、前記振分部材が前記退避位置に配置されたときに、前記回動軸部から離れるにつれて前記メイン流路から遠ざかるように傾斜し、
前記受止突部は、前記振分部材が前記突出位置に配置されたときに前記第２開口部を通って前記メイン流路に突入し、前記振分部材が前記退避位置に配置されたときに、前記第２開口部の奥側に配置される、請求項１又は２に記載の遊技機。
【００６６】
振分部材は、直動可能に構成されてもよいし、回動可能に構成されてもよい。特に、後者の場合において、本特徴に示す構成とすれば、振分部材が退避位置から突出位置に移動するときに、受止突部によって遊技球を掬い取り易くなる。
【００６７】
［特徴Ａ４］
前記第２開口部の開口縁のうち前記メイン流路の上流側に配置された部分は、前記メイン流路の延在方向に対して斜めに傾斜している、請求項１乃至３のうち何れか１項に記載の遊技機。
【００６８】
本特徴に示す構成では、振分部材と第２開口部の開口縁との間に遊技球が挟まって球噛みすることを抑制可能となる。
【００６９】
［特徴Ａ５］
前記メイン流路には、第１水平方向の一方側へ下るように遊技球を転動させる転動部（転動部３３）と、前記転動部の下端部に連絡して遊技球を落下させる落下部（落下部３４）と、が備えられ、
前記１対の対向壁は、前記第１水平方向で対向し、
前記第１開口部は、前記１対の対向壁のうち前記第１水平方向の一方側に配置される第１対向壁（第１対向壁３４１）に形成されると共に、前記第２開口部は、前記１対の対向壁のうち前記第１水平方向の他方側に配置される第２対向壁（第２対向壁３４２）に形成され、
前記落下部を落下する遊技球を前記第２対向壁から遠ざけて該遊技球が前記第２開口部に進入することを規制する隔離手段（隔離手段８０）を有している、特徴Ａ１乃至Ａ４のうち何れか１に記載の遊技機。
【００７０】
本特徴に示す構成によれば、振分部材が退避位置に配置された状態で、遊技球が第２開口部に進入したり第２開口部の開口下縁部に跳ね返されて第１開口部に進入したりすることが抑えられ、入球領域に入球させるための遊技球が入球領域に入球しない入球エラーが発生することを抑制可能となる。なお、本特徴における「遊技球が第２開口部に進入する」とは、遊技球の一部が進入することを含むものである。
【００７１】
［特徴Ａ６］
前記隔離手段は、前記第２対向壁のうち前記第２開口部より上側に配置される部分から突出するか又は当該部分に前記メイン流路の内側から重ねられて、前記落下部を落下する遊技球と当接可能な球当接部（隔離レール８１）により構成されている、特徴Ａ５に記載の遊技機。
【００７２】
［特徴Ａ７］
前記隔離手段は、前記第２開口部に前記メイン流路の内側から重ねられて、前記落下部を落下する遊技球と当接可能な球当接部（隔離レール８１）により構成されている、特徴Ａ５に記載の遊技機。
【００７３】
特徴Ａ６又は特徴Ａ７に示す構成では、遊技球を第２対向壁から遠ざけ易くなる。
【００７４】
［特徴Ａ８］
前記球当接部は、上下方向に延在するレール（隔離レール８１）を少なくとも１つ有する、特徴Ａ６又はＡ７に記載の遊技機。
【００７５】
本特徴に示す構成では、遊技球を第２対向壁から遠ざけた状態のまま流下させることが可能となる。
【００７６】
［特徴Ａ９］
遊技球が１個ずつ流下可能な流路（メイン流路３１）と、
前記流路を挟んで対向する１対の対向壁（対向壁３４０）と、
前記１対の対向壁のうち一方の対向壁（第１対向壁３４１）に形成された第１開口部（第１開口部３４１Ａ）と、を有する遊技機（遊技機１０）において、
前記１対の対向壁のうち他方の対向壁（第２対向壁３４２）に形成された第２開口部（第２開口部３４２Ａ）の奥側に引っ込む退避位置と前記第２開口部から飛び出す突出位置との間を移動可能な移動部材（振分部材６０）を有し、
前記第１開口部は、前記突出位置に配置された前記移動部材に突き合わされる、遊技機。
【００７７】
本特徴に示す構成では、移動部材が突出位置に配置されて第２開口部から飛び出しても、その移動部材に第１開口部が突き合わされるので、移動部材による球噛みが抑制される。
【００７８】
なお、特徴Ａ９に示す構成に、特徴Ａ１〜Ａ８に示す構成が組み合わされてもよい。
【００７９】
特徴Ａ群には、以下の実施形態が含まれてもよい。
【００８０】
（ａ１）図１５に示されるように、振分部材６０を、落下部３４の延在方向と交差する方向に直動して、第２開口部３４２Ａの奥側に退避した退避位置と、第２開口部３４２Ａから突出する突出位置と、に配置される構成としてもよい。
【００８１】
（ａ２）図１６に示されるように、転動部３３の配置が左右逆であってもよい。この場合、隔離手段８０（図１２〜図１４参照）を備えない構成としてもよい。
【００８２】
（ａ３）図１７に示されるように、第２開口部３４２Ａの開口上縁が前下がり又は後下がりに傾斜してもよい（図１７には、後下がりに傾斜する例が示されている。）。これにより、振分部材６０の受止突部６３と第２開口部３４２Ａの開口上縁部との間の球噛みが抑制される。
【００８３】
（ａ４）受止突部６３の球受止面６４は、傾斜部として先端傾斜部６４Ａのみを備えてもよいし、アーム部６２から離れるにつれて回動軸部６１の周方向（回動軸部６１を中心とする円の周方向）一方側を向くように湾曲した湾曲部を備えてもよい。なお、湾曲部は、振分部材６０が突出位置に配置されたときに落下部３４の下流側へ向かうにつれて第１開口部３４１Ａへ向かうように配置される。
【００８４】
＜特徴Ｂ群＞
以下の特徴Ｂ群は、遊技機に関し、「特許文献Ｂ（特開２０１６−１６３６１４号（段落［０２２４］、図１１、図１２）の遊技機では、遊技球を落下させる落下路の先にＶ入賞口を有し、落下路から横に分岐した分岐路の先に通常入球口を有している。そして、横案内路との分岐部分に設けられたシャッター部材によって、遊技球をＶ入賞口と通常入球口の何れかに入球させる。」という背景技術について、「特許文献Ｂの遊技機では、Ｖ入賞口に入球させるための遊技球がＶ入賞口に入球しない入球エラーが発生することがあり、入球エラーの改善が求められていた。」という課題をもってなされたものである。
【００８５】
［特徴Ｂ１］
遊技球が１個ずつ流下可能なメイン流路（メイン流路３１）と、
前記メイン流路を流下してきた遊技球が入球可能な入球領域（第２入球領域５２）と、を有する遊技機（遊技機１０）において、
前記メイン流路を挟んで対向する１対の対向壁（対向壁３４０）のうち少なくとも一方の対向壁（第２対向壁３４２）には、遊技球が進入可能な開口部（第２開口部３４２Ａ）が形成されていて、
前記メイン流路を流下する遊技球を前記一方の対向壁から遠ざける隔離手段（隔離手段８０）を有している、遊技機。
【００８６】
本特徴に示す構成によれば、メイン流路を流下してきた遊技球が開口部に進入することが抑制され、入球領域に入球させるための遊技球が入球領域に入球しない入球エラーが発生することを抑制可能となる。なお、本特徴における「遊技球が進入可能な開口部」は、遊技球の一部が進入可能なものも含む。
【００８７】
［特徴Ｂ２］
前記隔離手段は、前記一方の対向壁のうち前記開口部よりも前記メイン流路の上流側に配置される部分から突出するか又は当該部分に前記メイン流路の内側から重ねられて、前記メイン流路を流下してきた遊技球と当接可能な球当接部（隔離レール８１）により構成されている、特徴Ｂ１に記載の遊技機。
【００８８】
［特徴Ｂ３］
前記隔離手段は、前記第２開口部に前記メイン流路の内側から重ねられて、前記メイン流路を流下してきた遊技球と当接可能な球当接部（隔離レール８１）により構成されている、特徴Ｂ１に記載の遊技機。
【００８９】
特徴Ｂ２又はＢ３に示す構成では、遊技球を一方の対向壁から遠ざけ易くなる。
【００９０】
［特徴Ｂ４］
前記球当接部は、前記メイン流路に沿って延在するレール（隔離レール８１）を少なくとも１つ有する、特徴Ｂ２又はＢ３に記載の遊技機。
【００９１】
本特徴に示す構成では、遊技球を一方の対向壁から遠ざけた状態のまま流下させることが可能となる。
【００９２】
［特徴Ｂ５］
前記メイン流路には、第１水平方向の一方側へ下るように遊技球を転動させる転動部（転動部３３）と、前記転動部の下端部に連絡して遊技球を落下させる落下部（落下部３４）と、が備えられ、
前記１対の対向壁は、前記第１水平方向で対向し、
前記開口部は、前記１対の対向壁のうち前記第１水平方向の他方側に配置される対向壁に形成されている、特徴Ｂ１乃至Ｂ４のうち何れか１に記載の遊技機。
【００９３】
本特徴に示す構成では、転動部で第１水平方向の一方側に転動してきた遊技球が、第１水平方向の一方側に配置される対向壁に跳ね返されて他方側の対向壁に形成された開口部に進入することが抑制される。
【００９４】
なお、特徴Ｂ群に示す特徴に特徴Ａ群に示す特徴を組み合わせてもよい。
【００９５】
特徴Ｂ群には、以下の実施形態が含まれてもよい。
【００９６】
（ｂ１）図１８に示されるように、振分部材６０は、前後にスライドして第２球検出センサ５４の第２検出孔５４Ａを開閉するシャッター部材で構成されてもよい。この場合、第２開口部３４２Ａは不要となる。また、転動部３３は、左右逆に配置されることが好ましい。隔離手段８０（図１２〜図１４参照）は、落下部３４を落下する遊技球を第１対向壁３４１の第１開口部３４１Ａから遠ざける。
【００９７】
（ｂ２）隔離レール８１は、第２対向壁３４２のうち第２開口部３４２Ａより上側の部分にのみ重ねられてもよいし、第２開口部３４２Ａにのみ重ねられてもよい。
【００９８】
（ｂ３）隔離レール８１は、第２対向壁３４２に形成されてもよいし（図１９参照）、後側の前後対向壁３４５に形成されてもよい。なお、後者の場合、振分部材６０の受止突部６３は、落下部３４において前側に寄せて配置されればよい。
【００９９】
（ｂ４）隔離レール８１は、第２対向壁３４２の幅方向（前後方向）に複数備えられてもよい。その際、複数の隔離レール８１は、第２対向壁３４２に形成されてもよいし（図１９参照）、１対の前後対向壁３４５，３４５のそれぞれに形成されてもよい。
【０１００】
（ｂ５）隔離手段８０は、第２対向壁３４２又は前後対向壁３４５に形成された突部（例えば、突起、瘤、ボス、リブ等）をさらに含んでもよいし、該突部のみで構成されてもよい。突部が前後対向壁３４５に形成される場合、その突部は、前側の前後対向壁３４５と後側の前後対向壁３４５の何れに形成されてもよい。なお、突部は、１つであってもよいし、複数であってもよい。
【０１０１】
（ｂ６）隔離手段８０は、例えば、第１対向壁３４１に埋め込まれて遊技球を第１対向壁３４１に引き寄せる磁石によって構成されてもよい。この磁石の磁力は、遊技球の落下を妨げない強さに調整されればよい。
【符号の説明】
【０１０２】
１０    遊技機
３１    メイン流路
３３    転動部
３４    落下部
４１    分岐流路
５１    第１入球領域
５２    第２入球領域
６０    振分部材
８０    隔離手段
３４１    第１対向壁
３４１Ａ    第１開口部
３４２    第２対向壁
３４２Ａ    第２開口部
【図１】
2020000491.tif 000003
【図２】
2020000491.tif 000004
【図３】
2020000491.tif 000005
【図４】
2020000491.tif 000006
【図５】
2020000491.tif 000007
【図６】
2020000491.tif 000008
【図７】
2020000491.tif 000009
【図８】
2020000491.tif 000010
【図９】
2020000491.tif 000011
【図１０】
2020000491.tif 000012
【図１１】
2020000491.tif 000013
【図１２】
2020000491.tif 000014
【図１３】
2020000491.tif 000015
【図１４】
2020000491.tif 000016
【図１５】
2020000491.tif 000017
【図１６】
2020000491.tif 000018
【図１７】
2020000491.tif 000019
【図１８】
2020000491.tif 000020
【図１９】
2020000491.tif 000021